(57)【要約】【課題】  ストッキングとガーターベルトの固定操作を片手でも簡単に行うことが可能となるストッキングの固定構造を提供する。【解決手段】  脚部に着用したストッキングをガーターベルトによって着用位置に固定するための固定構造であって、上記ガーターベルトは、腰部に装着する本体部と、上記本体部に取り付けられ、上記ストッキングに止着しうる紐部材とから形成されると共に、上記紐部材の先端部、及び上記ストッキングの上端部には、互いに嵌合しうる一対のスナップボタン構成部材を備えた構成とする。【選択図】  図１
0003161925.tif 000002
【実用新案登録請求の範囲】
【請求項１】
脚部に着用したストッキングをガーターベルトによって着用位置に固定するための固定構造であって、
上記ガーターベルトは、腰部に装着する本体部と、上記本体部に取り付けられ、上記ストッキングに止着しうる紐部材とから形成されると共に、
上記紐部材の先端部、及び上記ストッキングの上端部には、互いに嵌合しうる一対のスナップボタン構成部材を備えることを特徴とするストッキングの固定構造。
【請求項２】
上記紐部材は上記本体部に複数本取り付けられると共に、
上記スナップボタン構成部材は、上記ストッキングの上端部に上記紐部材と同数個配設されていることを特徴とする請求項１記載のストッキングの固定構造。
【請求項３】
上記スナップボタン構成部材は、上記ストッキングの上端部外周に配設されていることを特徴とする請求項２記載のストッキングの固定構造。
【考案の詳細な説明】
【技術分野】
【０００１】
本考案は、脚部に着用したストッキングをガーターベルトによって着用位置に固定するための固定構造に関する。
【背景技術】
【０００２】
女性の脚部に着用されるストッキングには、パンティー部分とストッキング部分が一体となった所謂パンティーストッキングと、膝上若しくは腿までの丈を有し、ガーターベルトでずり下がらないように固定する所謂ガーターストッキングとに分類される。
上記パンティーストッキングは、パンティー部分の上端部の周縁部に配設されたゴム等の弾性部材によって、腰部を締め付けて固定されるため、別途の固定具は不要であり、また着用操作が簡単であることから、昨今においては広く普及している。
【０００３】
一方、図３に示すように、ガーターストッキング４０、４０は、腰回り着用するガーターベルト４１によってずり落ちないように固定される。
上記ガーターベルト４１は、通常パンティー４２の内側に着用され、上記ガーターベルト４１の本体部４３の下端部には、紐部材４４、４４が取り付けられている。
また、上記紐部材４４、４４の先端には、ガーターストッキング４０、４０の上端部４５、４５を挟み込む挟持部材４６、４６が取り付けられており、上記挟持部材４６、４６によって、上記ガーターストッキング４０、４０の上端部４７、４７を挟持することによって、着用した位置において上記ガーターストッキング４０、４０が固定される。
【０００４】
図３に示すガーターベルト４１にあっては、上記挟持部材４６、４６で上記ガーターストッキング４０、４０の上端部４７、４７を挟み込む際に、一方の手で上記ガーターストッキング４０、４０の上端部４７、４７をめくり、更に他方の手で、上記上端部４７、４７に挟持部材４６、４６あてがい、挟む込む必要があるため、装着操作が非常に煩わしいという不具合を有していた。
【０００５】
ガーターストッキングはパンティーストッキングと比較した場合、デザインが豊富であり、また、着用時の外観品質も高い等の優れた特徴を有していることから、着用を希望する潜在的な要望は多かった。
上記事情にも関わらず、着用操作の煩わしさから、多くの女性に着用を敬遠されていた。
【考案の開示】
【考案が解決しようとする課題】
【０００６】
本考案の解決する課題は、ストッキングとガーターベルトの止着操作を片手でも簡単に行うことが可能となるストッキングの固定構造を提供することにある。
【課題を解決するための手段】
【０００７】
上記課題を解決するために、請求項１に記載の考案に係るストッキングの固定構造は、脚部に着用したストッキングをガーターベルトによって着用位置に固定するための固定構造であって、上記ガーターベルトは、腰部に装着する本体部と、上記本体部に取り付けられ、上記ストッキングに止着しうる紐部材とから形成されると共に、上記紐部材の先端部、及び上記ストッキングの上端部には、互いに嵌合しうる一対のスナップボタン構成部材を備えることを特徴とする。
【０００８】
一般的にスナップボタンは、一対のスナップボタン構成部から構成され、一方のスナップボタン構成部は突起部を有すると共に、他方のスナップボタン構成部には、上記突起部に嵌合しうる凹部若しくは孔部が形成されている。
従って、ストッキングを脚部に着用し、上記紐部材の先端部に配設されたスナップボタン構成部を上記ストッキング上端部に配設されたスナップボタン構成部に押し当てることによって、上記の突起部と、凹部若しくは孔部が嵌合する。これにより、上記一対のスナップボタン構成部が互いに接合し、上記紐部材が上記ストッキング上端部に止着される。
【０００９】
また、請求項２に記載の考案に係るストッキングの固定構造は、上記紐部材は上記本体部に複数本取り付けられると共に、上記スナップボタン構成部材は、上記ストッキングの上端部において周方向に所定寸法離間して上記紐部材と同数個配設されていることを特徴とする。
従って、上記ストッキングは、複数の紐部材によって着用位置に固定される。
【００１０】
また、請求項３に記載の考案に係るストッキングの固定構造は、上記スナップボタン構成部材は、上記ストッキングの上端部外周に配設されていることを特徴とする。
【考案の効果】
【００１１】
請求項１の考案にあっては、ストッキングを脚部に着用し、上記紐部材のスナップボタン構成部を上記ストッキング上端部のスナップボタン構成部に押し当てることによって、一対のスナップボタン構成部が互いに嵌合し、上記紐部材が上記ストッキング上端部に止着されることから、ストッキングとガーターベルトの止着操作を、片手であっても簡単に行うことができる。
【００１２】
また、請求項２の考案にあっては、上記紐部材は上記本体部に複数本取り付けられると共に、上記スナップボタン構成部材は、上記ストッキングの上端部において周方向に所定寸法離間して上記紐部材と同数個配設されていることから、請求項１の効果に加え、ストッキングをより強固に固定することができる。
【００１３】
また、請求項３の考案にあっては、上記スナップボタン構成部材は、上記ストッキングの上端部外周に配設されていることから、請求項１の効果に加え、スナップボタン構成部が直接脚部に触れることが無いため、履き心地が損なわれることがない。
【図面の簡単な説明】
【００１４】
【図１】本考案の一実施の形態を示し、実施例の形態におけるストッキングとガーターベルトの止着状態を示す（ａ）はスナップボタン構成部材を外した状態、（ｂ）はスナップボタン構成部材を互いに嵌合した状態を示す斜視図である。
【図２】本考案の一実施の形態を示し、実施例の形態におけるストッキング上端部のスナップボタン構成部材の配置を示す斜視図である。
【図３】従来のガーターストッキングの形態示す斜視図である。
【考案を実施するための最良の形態】
【００１５】
以下図面を用いて本実施例の形態について説明する。
図１に示すように、本実施例は、ストッキング１１とガーターベルト１２によって所定位置に固定するための固定構造１０であって、上記ガーターベルト１２は腰部１３に装着する本体部１４と上記本体部１４に取り付けられ、ストッキング１１に止着しうる紐部材１５とから形成されている。
上記紐部材１５の先端部１６、及び上記ストッキング１１の上端部１７には、互いに嵌合しうる一対のスナップボタン構成部材１８、１９が配設されている。
なお、図１には図示されていないが、上記紐部材１５は、身体の後方側位置にもう一本が配設されており、片足に対して夫々１対ずつ配設されている。
また、図２に示すように、上記ストッキング１１側のスナップボタン構成部材１９、１９は、上記ストッキング１１の上端部１７の外周に配設されている。
【実施例１】
【００１６】
本実施例の構成について以下添付図面を引用して詳述する。
図２は、本実施例のストッキング１１の片足分の一部斜視図である。
図２に示すように、ストッキング１１の上端部１７の外周の縁部１７ａに一対のスナップボタン構成部材１９が、周方向に所定寸法離間して、逢着若しくはカシメ等の手段によって固着されている。
【００１７】
図２に示すように、ストッキング１１側に配設されているスナップボタン構成部材１９には、図１に示す、紐部材１５側のスナップボタン構成部材１８の突起部２０に嵌合しうる凹部２１が形成されている。
なお、上記スナップボタン構成部材１８、１９の素材は金属、合成樹脂等任意の素材が選択できる。
【００１８】
また、図１に示すように、ガーターベルト１２は、パンティー２３の内側に着用される。
なお、本実施例においては、上記ガーターベルト１２の本体部１４は網状の布部材から形成されているが、本体部１４の素材、及び形状については腰部に装着可能な形態であれば特に本考案の作用効果に影響を与えない。
【００１９】
本実施例の作用について添付図面を用いて説明する。
図１（ａ）に示すように、ストッキング１１を脚部２２に着用し、ガーターベルト１２の紐部材１５のスナップボタン構成部材１８を、図中矢印Ａに示すようにストッキング１１側のスナップボタン構成部材１９を当接させ指等で押し当てることによって、スナップボタン構成部材１８の突起部２０と、スナップボタン構成部材１９の凹部２１とが嵌合し、図１（ｂ）に示すように、紐部材１５とストッキング１１の上端部１７の外周の縁部１７ａが止着され、ストッキング１１が着用位置に固定される。
なお、図１には図示していないが、上記紐部材１５は、ストッキング１１側のスナップボタン構成部１９の位置にあわせ、身体後方側にもう一箇所配設されている。
【００２０】
本実施例に示す固定構造１０によれば、スナップボタン構成部材１８、１９の嵌合操作が片手で行うことが可能であり、ストッキング１１の固定作業が非常に容易となる。
【００２１】
また、スナップボタン構成部材は非常に低コストで入手可能であり、逢着等によって簡単に取り付けることができるため、既存のストッキング及びガーターベルトに対して、後付で本考案に係る固定構造を適用することも可能である。
【産業上の利用可能性】
【００２２】
本考案は、本考案は、脚部に着用したストッキングをガーターベルトによって着用位置に固定するための固定構造に適用することができる。
【符号の説明】
【００２３】
１０  ストッキングの固定構造
１１  ストッキング
１２  ガーターベルト
１３  腰部
１４  ガーターベルトの本体部
１５  紐部材
１６  紐部材の先端部
１７  ストッキングの上端部
１７ａストッキングの上端縁部
１８  スナップボタン構成部材
１９  スナップボタン構成部材
２０  スナップボタン構成部材の突起部
２１  スナップボタン構成部材の凹部
２２  脚部
２３  パンティー
４０  ガーターストッキング
４１  ガーターベルト
４２  パンティー
４３  ガーターベルトの本体部
４４  紐部材
４５  紐部材
４６  把持部材
４７  ストッキング上端部
【図１】
0003161925.tif 000003
【図２】
0003161925.tif 000004
【図３】
0003161925.tif 000005